(57)【要約】  本発明は、熱風の送風によって掃除対象物を乾燥させ、掃除対象物の吸着を防止することができる真空掃除機を開示する。本発明による真空掃除機は、第１底面空気流入口と、後方空気排出口と、第１底面空気流入口から後方空気排出口に第１空気の流れを案内する空気通路を備えるハウジングと、第１空気の吸入力を発生するように空気通路に装着されている電気ブロワーファンと、を備える。また、ハウジングは、外部から第２空気を吸入し吸入される第２空気の流れを第１空気の流れに対する向かい風で案内して掃除対象物の吸着を防止するようにハウジングに形成されている向かい風空気流入口と、電気ブロワーファンを経ながら電気ブロワーファンの発熱によって加熱されている熱風を排出するようにハウジングの底面に形成されている底面空気排出口と、を含み、熱風の流れ方向を後方空気排出口及び／または底面空気排出口に転換できるようにハウジングに装着されている流れ方向転換手段を含む。本発明によると、熱風の流れ方向をユーザーが底面空気排出口及び／または後方排出口に選択的に制御して掃除対象物に送風させることによって、掃除対象物を乾燥させることができる。また、ハウジング内に吸入される空気の流れに向かい風が吹くようにして掃除対象物の吸着を防止することによってユーザーの使用便宜性を向上させることができる。
2016511041.tif 000002
【特許請求の範囲】
【請求項１】
第１底面空気流入口と、後方空気排出口と、前記第１底面空気流入口から前記後方空気排出口に第１空気の流れを案内する空気通路を備えるハウジングと、前記第１空気の吸入力を発生するように前記空気通路に装着されている電気ブロワーファンを備える真空掃除機において、
前記ハウジングは、外部から第２空気を吸入し吸入される前記第２空気の流れを前記第１空気の流れに対する向かい風で案内して前記掃除対象物の吸着を防止するように前記ハウジングに形成されている向かい風空気流入口と、前記電気ブロワーファンを経ながら前記電気ブロワーファンの発熱によって加熱されている熱風を排出するように前記ハウジングの底面に形成されている底面空気排出口と、を含み、
前記熱風の流れ方向を前記後方空気排出口及び／または前記底面空気排出口に転換できるように前記ハウジングに装着されている流れ方向転換手段を含むことを特徴とする真空掃除機。
【請求項２】
前記流れ方向転換手段は、
前記空気通路と前記後方空気排出口を連結するように前記ハウジングの内側に形成されている第１分岐通路と；
前記空気通路と前記底面空気排出口を連結するように前記ハウジングの内側に形成されている第２分岐通路と；
前記第１分岐通路及び／または前記第２分岐通路を開閉できるように前記ハウジング内に装着されているバッフルプレートと；
を含むことを特徴とする請求項１に記載の真空掃除機。
【請求項３】
前記流れ方向転換手段は、
前記空気通路と前記後方空気排出口を連結するように前記ハウジングの内側に形成されている第１分岐通路と；
前記空気通路と前記底面空気排出口を連結するように前記ハウジングの内側に形成されている第２分岐通路と；
前記底面空気排出口を開閉するために前記ハウジング内に回転できるように装着されているバッフルプレートと；
を含むことを特徴とする請求項１に記載の真空掃除機。
【請求項４】
前記第１底面空気流入口と前記前面空気流入口を連結するように前記ハウジングの内側に空気排出通路が形成されており、前記第１底面空気流入口と前記空気排出通路が連通されるように前記ハウジングの底面の前方に第１リセスが形成されており、前記第１リセス内に前記掃除対象物の殺菌のために紫外線を照射する紫外線光源がさらに装着されていることを特徴とする請求項１乃至請求項３の中でいずれか一項に記載の真空掃除機。
【請求項５】
前記第１底面空気流入口と隣って第３空気を吸入するように第２底面空気流入口が前記ハウジングの底面に形成されており、前記第２底面空気流入口と連通されるように前記底面に第２リセスが形成されており、前記第１リセスと前記第２リセスは前記第１空気の流れと前記第２空気の流れが合流される空気合流通路によって互いに連通されていることを特徴とする請求項４に記載の真空掃除機。
【請求項６】
前記掃除対象物から異物を脱落させるように前記第２リセス内に装着されているはたきと；
前記掃除対象物と接触されて回転されるように前記ハウジングの底面の前方に前記ハウジングの幅方向に沿って装着されており、前記掃除対象物から異物をはたくことができるように複数のグルーブが外面に形成されている一対の第２ローラーと；
前記ハウジングの底面中央に前記掃除対象物と接触されて回転できるように装着されている第２ローラーと；
をさらに含むことを特徴とする請求項４に記載の真空掃除機。
【請求項７】
前記第２分岐通路と連通されるように熱風排出室が前記ハウジング内にさらに形成されており、前記熱風排出室を覆うようにカバープレートが前記ハウジングの底面に装着されており、前記熱風排出室に没入されるようにリセスが前記カバープレートに形成されており、前記底面空気排出口は前記リセス底面に形成されていることを特徴とする請求項４に記載の真空掃除機。
【請求項８】
前記ハウジングの外面に前記空気通路と連通されるように受容部が形成されており、前記ハウジングの内に駆動室と連通される濾過室が形成されており、空気の濾過のために前記受容部に着脱できるように装着されている第１フィルターユニットと前記濾過室に着脱できるように装着されている第２フィルターユニットをさらに含むことを特徴とする請求項４に記載の真空掃除機。
【請求項９】
前記第１フィルターユニットは、
前記受容部に着脱できるように装着されており、前記空気通路と連通される集塵室を有するダストボックスと；
前記集塵室内に流入される空気が旋回流を形成するように前記集塵室内に装着されており、前記集塵室に流入される空気の流れによって回転できるように外面にインペラが形成されており、前記空気通路と連通されるように、ボーア、空気流入口、空気排出口を有するロータリーフィルターシリンダーと；
前記ロータリーフィルターシリンダーの空気流入口に空気の濾過のために装着されているフィルターエレメントと；
からなることを特徴とする請求項８に記載の真空掃除機。
【請求項１０】
前記ダストボックスは、透明プラスチックから構成されており、前記受容部の底面に前記紫外線光源の光を前記ダストボックスに照射する光ガイドが装着されていることを特徴とする請求項９に記載の真空掃除機。
【発明の詳細な説明】
【技術分野】
【０００１】
本発明は、真空掃除機に係り、さらに詳しくは、熱風の送風によって掃除対象物（Cleaning  objects）を乾燥させて掃除対象物の吸着を防止できる真空掃除機に関する。
【背景技術】
【０００２】
真空掃除機は、ハウジング内に内蔵されている電気ブロワーファン（Electric  blower  fan）の駆動によって吸入力を発生し、空気の吸入力によって塵などの異物が含まれている空気をハウジング内に吸入してフィルターによって濾過した後、ハウジングの外に排出して掃除する装置である。このような真空掃除機は、キャニスタータイプ（Canister  Type）、アップライトタイプ（Upright  Type）、ハンディタイプ（Handy  Type）と区分されている。
【０００３】
米国特許第７,８３６,５４８号の“真空掃除機”は、ハウジング、電気ブロワーファン、第１フィルターユニット（Filter  unit）、第２フィルターユニットを備えている。ハウジングは、空気を導入するように底面前方に形成されている空気導入口、空気を排出するように外面の後方に形成されている空気排出口、空気導入口と空気排出口の間に空気の流れを誘導するように形成されている空気通路を有する。電気ブロワーファンは、空気通路に設けられており、電気モーターと電気モーターの駆動によって回転されて空気の吸入力を発生するファンで構成されている。
【０００４】
一方、電気モーターが駆動されてファンが回転すれば、空気は空気導入口を通じて吸入された後、空気通路と空気排出口を通じて排出される。第１フィルターユニットは、電気ブロワーファンの前方に配置されており、空気中の異物を濾過して捕集する。第２フィルターユニットは、空気排出口を覆うようにハウジングの外面後方に設けられており、空気排出口を通じて排出される空気中の異物を濾過する。
【発明の概要】
【発明が解決しようとする課題】
【０００５】
しかし、前記のような従来の真空掃除機において、空気が電気ブロワーファンの周りを経ながら電気ブロワーファンの発熱によって４０〜６０℃の熱風に加熱されてハウジングの後方に排出されるので、ユーザーが熱風に露出されて使用が煩わしく、不便な問題がある。熱風の排出による問題は、ハンディタイプの真空掃除機の場合に加重されて使用を忌避するようになる原因になっている。また、夜具の掃除に使用される真空掃除機の場合、夜具が空気導入口に吸着されることを防止する機能と共に夜具を乾燥させる機能が要求されているが、これを満足できる真空掃除機は、いまだに開発されていない状態である。
【０００６】
本発明は、前記の従来の真空掃除機のいろいろな問題を解決するために案出されたことで、本発明の目的は、電気ブロワーファンの発熱によって加熱される熱風の流れ方向を選択的に制御して掃除対象物に送風させることによって掃除対象物を乾燥させ、ユーザーが熱風に露出されることを最小化することができる真空掃除機を提供する。
【０００７】
本発明の他の目的は、ハウジング内に吸入される空気の流れに向かい風が吹くようにして掃除対象物の吸着を防止することができる真空掃除機を提供する。
【０００８】
また、本発明の他の目的は、ダストボックス（Dust  box）内に流入される空気が旋回流（Swirl  flow）を形成しながら濾過される構造によって、フィルターの閉塞（Clogging）を防止することができる真空掃除機を提供することである。
【課題を解決するための手段】
【０００９】
本発明の一側面によれば、真空掃除機が提供される。本発明による真空掃除機は、第１底面空気流入口と、後方空気排出口と、第１底面空気流入口から後方空気排出口に第１空気の流れを案内する空気通路を備えるハウジングと、第１空気の吸入力を発生するように空気通路に装着されている電気ブロワーファンと、を備える。また、ハウジングは、外部から第２空気を吸入し吸入される第２空気の流れを第１空気の流れに対する向かい風で案内して掃除対象物の吸着を防止するようにハウジングに形成されている向かい風空気流入口と、電気ブロワーファンを経ながら電気ブロワーファンの発熱によって加熱されている熱風を排出するようにハウジングの底面に形成されている底面空気排出口を含み、熱風の流れ方向を後方空気排出口及び／または底面空気排出口に転換できるようにハウジングに装着されている流れ方向転換手段と、を含む。
【００１０】
また、流れ方向転換手段は、空気通路と後方空気排出口を連結するようにハウジングの内側に形成されている第１分岐通路と；空気通路と底面空気排出口を連結するようにハウジングの内側に形成されている第２分岐通路と；第１分岐通路及び／または第２分岐通路を開閉できるようにハウジング内に装着されたり、底面空気排出口を開閉するためにハウジング内に回転できるように装着されているバッフルプレートと；を含む。
【発明の効果】
【００１１】
本発明による真空掃除機は、電気ブロワーファンの発熱によって加熱される熱風の流れ方向をユーザーが底面空気排出口及び／または後方空気排出口に選択的に制御して掃除対象物に送風させることによって掃除対象物を乾燥させ、ユーザーが熱風に露出されることを最小化することができる。また、ハウジング内に吸入される空気の流れに向かい風が吹くようにして掃除対象物の吸着を防止することによって、使用便宜性を向上させることができる。また、ダストボックス内に流入される空気が旋回流を形成しながら濾過される構造によってフィルターの閉塞を防止して信頼性を向上させることができる。したがって、本発明による真空掃除機によって夜具のように柔軟な掃除対象物を簡便で便利に掃除することができる。
【図面の簡単な説明】
【００１２】
【図１】本発明による真空掃除機の構成を示す斜視図である。
【図２】本発明による真空掃除機の底面で見る斜視図である。
【図３】本発明による真空掃除機で第１フィルターユニットを分離して示す斜視図である。
【図４】本発明による真空掃除機でカバープレート、第２フィルターユニットとバッフルプレートを分離して底面で見る斜視図である。
【図５】本発明による真空掃除機の構成を示す平面図である。
【図６】本発明による真空掃除機の構成を示す底面図である。
【図７】本発明による真空掃除機の構成を示す断面図である。
【図８】本発明による真空掃除機で第１分岐通路と後方空気排出口の構成を示す断面図である。
【図９】本発明による真空掃除機で底面空気排出口を通じる熱風の排出を説明するために部分的に切取って示す斜視図である。
【図１０】本発明による真空掃除機で底面空気排出口を通じる熱風の排出を説明するために部分的に示す底面図である。
【図１１】本発明による真空掃除機で後方空気排出口を通じる熱風の排出を説明するために部分的に切取って示す斜視図である。
【図１２】本発明による真空掃除機で後方空気排出口を通じる熱風の排出を説明するために部分的に示す底面図である。
【図１３】本発明による真空掃除機で後方空気排出口と底面空気排出口を通じる熱風の排出を説明するために部分的に切取って示す斜視図である。
【図１４】本発明による真空掃除機で後方空気排出口と底面空気排出口を通じる熱風の排出を説明するために部分的に示す底面図である。
【図１５】本発明による真空掃除機で他の実施形態のカバープレートとバッフルプレートを分離して底面で見る斜視図である。
【図１６】本発明による真空掃除機で他の実施形態のカバープレートとバッフルプレートの作動を説明するために示す底面図である。
【図１７】本発明による真空掃除機で他の実施形態のカバープレートとバッフルプレートの作動を説明するために示す底面図である。
【発明を実施するための形態】
【００１３】
本発明のその他の目的、特定な長所と新規の特徴は、添付図面に関する以下の詳細な説明及び好ましい実施形態によってさらに明らかになる。
【００１４】
以下、本発明による真空掃除機に対する好ましい実施形態を添付図面に基づいて詳しく説明する。
【００１５】
まず、図１乃至図８に示すように、本発明による真空掃除機は、外観を構成するハウジング１０を備える。ハウジング１０は、前面１２ａ、後面１２ｂ、上面１２ｃ、底面１２ｄ、長さ方向Ｘに対して直交する幅方向Ｙを有する。ハウジング１０の底面１２ｄは、掃除対象物２の掃除のために掃除対象物２、例えば、夜具４の表面に接触される。底面１２ｄの前方と掃除対象物２の接触面積が広がるようにハウジング１０の前方は後方より幅が広く形成されている。ユーザーが手で取ることができる取っ手１４が上面１２ｃに形成されている。スロット（Slot）が後面１２ｂの下方に幅方向Ｙに沿って形成されている。
【００１６】
図３、図７及び図８に示すように、受容部（Accommodating  position）１８がハウジング１０の外面前方に陥没されている。受容部１８の上方は開放端部１８ａで形成されている。空気の流入のための空気流入口１８ｂが受容部１８の底面後方に形成されている。空気の排出のための空気排出口１８ｃが受容部１８の後方壁面に形成されている。穴１８ｄが受容部１８の底面前方に形成されている。
【００１７】
図７に示すように、駆動室（Driving  chamber）２０が受容部１８の後方と隣るようにハウジング１０内に形成されている。受容部１８と駆動室２０は空気排出口１８ｃによって連通されている。空気の濾過のための濾過室（Filter  chamber）２２が駆動室２０の後方に隣るようにハウジング１０内に形成されている。
【００１８】
図２、図７及び図８に示すように、第１底面空気流入口２４が外部から第１空気を吸入できるように底面１２ｄの前方にハウジング１０の幅方向Ｙに沿って形成されている。前面空気流入口２６が第１底面空気流入口２４と連結されるように前面１２ａの下方に形成されている。第１底面空気流入口２４と前面空気流入口２６が連結されている構造によって空気の吸入が円滑に行われる。第１リセス（Recess）２８が第１底面空気流入口２４と互いに連通されるように底面１２ｄの前方にハウジング１０の幅方向に沿って凹形に形成されている。第１リセス２８は、穴１８ｄによって受容部１８と連通されている。
【００１９】
向かい風空気流入口３０が外部から第２空気を吸入できるように上面１２ｃの前方に形成されている。図１及び図５に、向かい風空気流入口３０は、上面１２ｃの両方に二つが幅方向Ｙに沿って間隔を置いて形成されていることが示されているが、これは例示的なことで、向かい風空気流入口３０の個数及び位置は適切に変更することができる。第１リセス２８と向かい風空気流入口３０はハウジング１０内に形成されている空気排出通路３２によって互いに連通されている。空気排出通路３２は、第１底面空気流入口２４と互いに対向する位置の第１リセス２８の内面に連通されている。向かい風空気流入口３０を通じて吸入される第２空気は空気排出通路３２を通過して第１リセス２８内に排出される。
【００２０】
第３空気の吸入のための第２底面空気流入口３４が第１底面空気流入口２４と隣るように底面１２ｄにハウジング１０の幅方向に沿って形成されている。第２リセス３６が第２底面空気流入口３４と連通されるように底面１２ｄに凹形に形成されている。第１リセス２８と第２リセス３６は隣るように互いに平行に配置されている。第１リセス２８と第２リセス３６はハウジング１０の長手方向に沿って形成されている空気合流通路３８によって互いに連通されている。図７に示すように、空気合流通路３８では第１空気流れＦ１と第２空気流れＦ２が合流されて第２リセス３６側に流れる。
【００２１】
空気の排出のための後方空気排出口４０が濾過室２２と連通されるように上面１２ｃの後方に形成されている。エアガイド（Air  guide）４２が後方空気排出口４０の上方を覆うように形成されている。エアガイド４２は後方空気排出口４０を通じて排出される空気がハウジング１０の前方に向かうように空気の流れを案内する。図５に後方空気排出口４０は上面１２ｃの後方に二つが幅方向Ｙに沿って間隔を置いて形成されていることが示されているが、これは例示に過ぎず、後方空気排出口４０の個数及び位置は適切に変更することができる。また、後方空気排出口４０はハウジング１０の後面１２ｂまたは両側面に形成されることもできる。
【００２２】
空気通路４４が前方の第１底面空気流入口２４から受容部１８に経て後方の後方空気排出口４０に空気の流れを案内するようにハウジング１０内に形成されている。後方空気排出口４０と空気通路４４は空気通路４４から分岐されるようにハウジング１０内に形成されている第１分岐通路４６によって連結されている。底面熱風排出室４８が濾過室２２と連通されるように底面１２ｄの後方に形成されている。図４に底面熱風排出室４８は円形で形成されていることが示されているが、これは例示に過ぎず、底面熱風排出室４８は四角形、楕円形等の多様な形状で形成されることができる。
【００２３】
カバープレート（Cover  plate）５０が底面熱風排出室４８を覆うように底面１２ｄに装着されている。リセス５２がカバープレート５０に形成されている。リセス５２は底面熱風排出室４８に没入されている。熱風の排出のために複数の底面空気排出口５４が底面熱風排出室４８と連通されるようにリセス５２の底面に形成されている。空気通路４４と底面空気排出口５４は底面熱風排出室４８の一方に形成されている第２分岐通路５６によって連結されている。他の実施形態において、一つ以上の底面空気排出口が空気通路４４と連通されるように底面１２ｄの後方に形成されることができる。この場合、カバープレート５０は削除されることができる。
【００２４】
図７に示すように、本発明による真空掃除機は、駆動室２０に空気の吸入のために装着されている電気ブロワーファン６０を備える。電気ブロワーファン６０は、電気モーター６２と、電気モーター６２の駆動によって回転されるファン６４で構成されている。エアガイド（Air  guide）６６がファン６４の周りを囲むようにハウジング１０内に装着されている。エアガイド６６は受容部１８から空気通路４４に沿って駆動室２０に流れる空気の流れが電気モーター６２の周りを経るように案内する。電気モーターの駆動によって発生される熱は空気通路４４に沿って流れる空気を加熱して熱風に作る。図１及び図５に示すように、電気モーター６２の作動を制御するためのパワースイッチ（Power  switch）６８が取っ手１４に装着されている。パワースイッチ６８は、プッシュボタンスイッチ（Push  button  switch）、スライドスイッチ（Slide  switch）等で構成されることができる。
【００２５】
図２、図４、図６乃至図８に示すように、本発明による真空掃除機は、掃除対象物２の殺菌のために掃除対象物２に紫外線を照射する紫外線光源（Ultraviolet  light  source）７０を備える。紫外線光源７０は第１リセス２８内に装着されている。紫外線光源７０は紫外線ランプ７２、紫外線発光ダイオード（Ultraviolet  light  emitting  diode,  UV  LED）で構成されている。紫外線ランプ７２は、第１空気の流れＦ１と第２空気の流れＦ２が空気合流通路３８側にできるように第２リセス３６内に装着されている。
【００２６】
紫外線ランプ７２の点滅を制御するためのタッチスイッチ（Touch  switch）７４が底面１２ｄの中央に突出されるように装着されている。タッチスイッチ７４が掃除対象物２に接触されてオン信号（On  signal）が出力されると、紫外線ランプ７２が点る。タッチスイッチ７４が掃除対象物２から離れてオフ信号（Off  signal）が出力されると、紫外線ランプ７２が消える。他の実施形態において、タッチスイッチ７４は掃除対象物２の接近を感知する近接センサー（Proximity  sensor）、掃除対象物２との接触を感知する圧力センサー（Pressure  sensor）等で構成されることができる。
【００２７】
グリルフィルター（Grill  filter）７６が紫外線ランプ７２を保護するように第１底面空気流入口２４に装着されている。グリルフィルター７６は第１底面空気流入口２４と前面空気流入口２６を覆うように構成されている。グリルフィルター７６は夜具４に接触されて夜具４が第１底面空気流入口２４と前面空気流入口２６内に進入されることを防止する。光ガイド（Light  guide）７８が穴１８ｄに装着されている。紫外線ランプ７２の光は光ガイド７８を通じて受容部１８内に照射される。
【００２８】
図２、図４、図６乃至図８に示すように、本発明による真空掃除機は、掃除対象物２から異物を脱落させるための叩き（Duster）８０を備える。叩き８０は、第２リセス３６内に回転できるように装着されているローラー（Roller）８２と、第２底面空気流入口３４の外側に突出されて掃除対象物２と接触されるようにローラー８２の外面に付けた複数のブラシ毛（Brush  wool）８４を備える円筒形ブラシ（Cylindrical  brush）で構成されている。ローラー８２は電気モータ８６の駆動によって回転されるように電気モーター８６と動力伝達装置（Power  train）で弁電動装置（Belt  gearing）８８によって連結されている。動力伝達装置はギア装置で構成されることができる。いくつかの実施形態において、叩き８０はアクチュエーター（Actuator）とアクチュエーターの駆動によって上下に作動される打撃器具を備えるアクチュエーター方式の叩きで構成されることができる。アクチュエーター方式の叩きは、ハウジング１０の底面１２ｄに装着されて円筒形ブラシと併用されることができる。
【００２９】
図１、図５、図７及び図８に示すように、本発明による真空装置畿は、空気の濾過のために、受容部１８に着脱できるように装着されている第１フィルターユニット９０を備ええる。第１フィルターユニット９０は、ダストボックス９２、ロータリーフィルターシリンダー（Rotary  filter  cylinder）９４及びフィルターエレメント（Filter  element）９６で構成されている。
【００３０】
ダストボックス９２は開放端部１８ａを通じて受容部１８に着脱できるように装着されている。ダストボックス９２は、ほこり等の異物を集塵するための集塵室（Dust  chamber）９２ａと、空気の流入のために集塵室９２ａと連結されている空気流入口９２ｂと、空気の排出のための空気排出口９２ｃと、を有する。空気流入口９２ｂは受容部１８の空気流入口１８ｂと連通されるようにダストボックス９２の外面下部に形成されている。空気排出口９２ｃは受容部１８の空気排出口１８ｂと連通されるようにダストボックス９２の一側面に形成されている。取っ手９２ｄがダストボックス９２の外面上部に装着されている。ダストボックス９２はユーザーが目で確認できるように内部が透けて見える透明プラスチック（Transparent  plastic）、例えばポリエチレン（Polyethylene）、ポリプロピレン（polypropylene）、ポリカーボネート（polycarbonate）、アクリル（Acrylic）等の素材で構成されている。
【００３１】
ロータリーフィルターシリンダー９４は空気の流れのためのボーア（Bore）９４ａを有するように中が空いている円筒形で形成されており、集塵室９２ａ内に回転できるように装着されている。ロータリーフィルターシリンダー９４はボーア９４ａと連通されるように後方に円周方向に沿って形成されている複数の空気流入口９４ｂと、ボーア９４ａと連通されるように前面に開けている空気排出口９４ｃと、を有する。空気排出口９４ｃは受容部１８の空気排出口１８ｃと整列されるように配置されている。インペラー（Impeller）９４ｄがロータリーフィルターシリンダー９４の外面前方に形成されている。インペラー９４ｄは空気流入口９２ｂの上方に配置されており、空気流入口９２ｂを通じて流入される空気の風力によって回転力が付与される。インペラー９４ｄの回転力によってロータリーフィルターシリンダー９４が集塵室９２ａ内で回転される。フィルターエレメント９６は空気流入口９４ｂを覆うようにロータリーフィルターシリンダー９４の外面に装着される円筒形で構成されている。グリルフィルター９８が受容部１８の空気排出口１８ｃに装着されている。いくつかの実施形態において、第１フィルターユニット９０は空気通路４４と連結されるようにハウジング１０内に交換できるように装着される塵封筒（Dust  bag）で構成されることができる。
【００３２】
図４、図７、図８、図９、図１１及び図１３に示すように、本発明による真空掃除機は空気の濾過のために濾過室２２に装着されている第２フィルターユニット１００を備える。第２フィルターユニット１００はフィルターフレーム（Filter  frame）１０２とフィルターエレメント１０４で構成されている。フィルターフレーム１０２は濾過室２２に着脱できるように装着されている。フィルターエレメント１０４は濾過室２２を通過する空気中の異物を濾過するようにフィルターフレーム１０２に装着されている。フィルターエレメント１０４は微細塵を濾過できるようにＨＥＰＡフィルター（High  efficiency  particulate  air  filter）と言うフレキシブルフォールデッドフィルター（Flexible  folded  filter）で構成されている。
【００３３】
図４、図７、図８、図９乃至図１３に示すように、本発明による真空掃除機は電気ブラわーファン６０の発熱によって加熱されている熱風の流れを後方空気排出口４０と底面空気排出口５４の中で何れか一つに転換したり、後方空気排出口４０と底面空気排出口５４全部に転換する流れ方向転換手段を備える。流れ方向転換手段は第１分岐通路４６、第２分岐通路５６及びバッフルプレート（Baffle  plate）１１０を含む。バッフルプレート１１０は第１分岐通路４６と第２分岐通路５６を選択的に開閉するために空気通路４４で移動できるように装着されている。ユーザーの操作のためのノブ（Knob）１１２がハウジング１０の外部に突出されるようにバッフルプレート１１０の一側に形成されている。
【００３４】
図２、図４、図６乃至図８に示すように、一対の第１ローラー１２０が底面１２ｄの前方に幅方向Ｙに沿って回転できるように装着されている。複数のグルーブ（Groove）１２０ａが第１ローラー１２０の長手方向に沿って形成されている。第２ローラー１２２が底面１２ｄの中央に回転できるように装着されている。第１ローラー１２０及び第２ローラー１２２は掃除対象物２に接触されて掃除対象物２と底面１２ｄとの間の間隔を維持し、転がり運動（Rolling  motion）によって真空掃除機の移動を円滑にする。また、第１ローラー１２０はグルーブ１２０ａの形成によって掃除対象物２から異物を払うことになる。
【００３５】
以下、このような構成を有する本発明による真空掃除機に対する作用を説明する。
【００３６】
図７に示すように、ハウジング１０の底面１２ｄが掃除対象物２の表面に近接されている状態で電気モーター６２が駆動されてファン６４が回転されると、空気の吸入力が発生される。急入力が発生されると、塵などの異物を含んでいる第１空気がグリルフィルター７６と第１底面空気流入口２４を通じて第１リセス２８内に吸入される。第１空気の流れＦ１は空気合流通路３８に向かう。
【００３７】
また、第２空気が向かい風空気流入口３０に吸入されて、空気排出通路３２に沿って第１リセス２８内に排出される。第２空気の流れＦ２は紫外線ランプ７２の周りを経て第１空気の流れＦ１に対する向かい風で吹くようになる。このような第２空気の流れＦ２によって夜具４のように柔軟な掃除対象物２がグリルフィルター７６に吸着されることが防止されて掃除効率を向上させることができる。第１空気の流れＦ１と第２空気の流れＦ２は空気合流通路３８で合流されて第２リセス３６を通過し、空気通路４４に沿って受容部１８に送られる。
【００３８】
図２、図３、図７及び図８に示すように、紫外線ランプ７２の作動によって紫外線が放射される。紫外線はグリルフィルター７６を通過して掃除対象物２に照射されて掃除対象物２に汚染された細菌を雑菌する。紫外線ランプ７２の光は光ガイド７８を通じて受容部１８内のダストボックス９２に照射される。ユーザーは紫外線ランプ７２の光によって透明なダストボックス９２内に集塵されている異物の量を目で確認することができる。ユーザーは取っ手９２ｄを取ってダストボックス９２を受容部１８がら外して分離することができる。
【００３９】
ユーザーは掃除対象物２の掃除のために掃除対象物２の表面に沿って真空掃除機を移動させる。電気モーター８６が駆動されてローラー８２が回転されると、ブラシ毛８４はローラー８２の回転によって掃除対象物２の表面を掃きながら掃除対象物２の表面に付いている塵、害虫等を払い落とす。塵は掃除対象物２から脱落されて、第３空気と共に第２底面空気流入口３４を通じて第２リセス３６内に吸入され、空気通路４４に沿って流れて受容部に送られる。
【００４０】
続いて、空気、即ち第１乃至第３空気は、受容部１８の空気流入口１８ｂとダストボックス９２の空気流入口９２ｂを通じて集塵室９２ａに流入される。集塵室９２ａに流入される空気の風力によってインペラ９４ｄが回転され、インペラ９４ｄの回転によってロータリーフィルターシリンダー９４が回転される。空気はロータリーフィルターシリンダー９４の周りを旋回する旋回流を形成しながらフィルターエレメント９６によって１次濾過される。ロータリーフィルターシリンダー９４の回転と旋回流の形成によって空気中の塵はフィルターエレメント９６の外面に付かないので、フィルターエレメント９６の閉塞が防止される。フィルターエレメント９６によって濾過される塵は集塵室９２ａに捕集される。
【００４１】
空気はフィルターエレメント９６、ロータリーフィルターシリンダー９４のボーア９４ａと空気排出口９４ｃ、受容部１８の空気排出口１８ｃとエアガイド６６を通過して駆動室２０に送られる。空気は電気ブロワーファン６０の周りを経ながら電気モーター６２の駆動時に発生する熱によって熱風に加熱される。熱風は空気通路３４に沿って流れて濾過室２２に流入されて、フィルターエレメント１０４によって２次濾過される。
【００４２】
一方、本発明による真空掃除機において、ユーザーはバッフルプレート１１０の操作によってフィルターエレメント１０４を経る熱風が後方空気排出口４０と底面空気排出口５４を通じて排出されるように熱風の流れ方向を選択的に転換させることができる。ユーザーはノブ１１２を利用してバッフルプレート１１０を回転させることによって第１分岐通路４６と第２分岐通路５６を選択的に開閉することができる。
【００４３】
図４、図９及び図１０に示すように、バッフルプレート１１０は第１位置Ｐ１で第１分岐通路４６を閉じ、第２分岐通路５６を開ける。熱風は第２分岐通路５６と底面空気排出口５４を通じて夜具４に送風されて夜具４の湿気を乾燥させる。図５、図１１及び図１２に示すように、バッフルプレート１１０は第２位置Ｐ２で第１分岐通路４６を開け、第２分岐通路５６を閉じる。熱風は後方空気排出口４０だけを通じてハウジング２０の外部に排出され、底面空気排出口５４を通じては排出されない。
【００４４】
一方、図４、図５、図１３及び図１４に示すように、バッフルプレート１１０は第１位置Ｐ１と第２位置Ｐ２との間の第３位置Ｐ３で第１分岐通路４６と第２分岐通路５６をそれぞれ半分ずつ開ける。熱風の一部は第２分岐通路５６と底面空気排出口５４を通じて夜具４に送風されて夜具４の湿気を乾燥させる。残りの熱風は第１分岐通路４６と後方空気排出口４０を通じてハウジング２０の外部に排出される。このようにユーザーは掃除対象物２の状態に従ってバッフルプレート１１０によって熱風の排出方向と量を簡便に制御して掃除効率と乾燥効率を高めることができる。
【００４５】
図１５乃至図１７に本発明による真空掃除機で流れ方向転換手段の他の実施形態が示されている。図１５乃至図１７に示すように、他の実施形態の流れ方向転換手段は第１分岐通路４６、第２分岐通路５６、バッフルプレート１３０を含む。バッフルプレート１３０はカバープレート５０の底面空気排出口５４を開閉することができるように熱風排出室４８に装着されている。底面空気排出口５４はカバープレート５０の円周方向に沿って複数の集団になるように等間隔で配列されている複数の底面空気排出口群５４ａが形成されている。穴５８がカバープレート５０の中央に形成されている。ノブ１３２がバッフルプレート１３０の底面中央に突出されている。ノブ１３２は穴５８に嵌れてリセス５２に突出されている。バッフルプレート１３０は底面空気排出口群５４ａを開閉することができるように円主方向に沿って等間隔で配列されている複数のシャッター部（Shutter  portion）１３４を有する。複数の熱風排出空間部１３６がシャッタ部１３４の間に形成されている。
【００４６】
図１６に示すように、シャッター部１３４が底面空気排出口群５４ａを閉じていれば、底面空気排出口５４を通じる熱風の排出が遮断される。この時、熱風は第１分岐通路４６と後方空気排出口４０を通じてハウジング１０の外部に排出される。図１７に示すように、ノブ１３２の操作によってバッフルプレート１３０が回転され、シャッター部１３２が底面空気排出口５４ａの間に配置されると、熱風排出空間部１３６が底面空気排出口５４と整列されて底面空気排出口５４が開ける。熱風は第２分岐通路５６を経て開いている底面空気排出口５４を通じて掃除対象物２に送風される。
【００４７】
以上で説明された実施形態は本発明の好ましい実施形態を説明したことに過ぎず、本発明の権利範囲は説明された実施形態に限られず、本発明の技術的な思想と特許請求範囲の内でこの分野の当業者によって多様な変更、変形または置換が可能であり、このような実施形態は本発明の範囲に属すると理解されなければならない。
【図１】
2016511041.tif 000003
【図２】
2016511041.tif 000004
【図３】
2016511041.tif 000005
【図４】
2016511041.tif 000006
【図５】
2016511041.tif 000007
【図６】
2016511041.tif 000008
【図７】
2016511041.tif 000009
【図８】
2016511041.tif 000010
【図９】
2016511041.tif 000011
【図１０】
2016511041.tif 000012
【図１１】
2016511041.tif 000013
【図１２】
2016511041.tif 000014
【図１３】
2016511041.tif 000015
【図１４】
2016511041.tif 000016
【図１５】
2016511041.tif 000017
【図１６】
2016511041.tif 000018
【図１７】
2016511041.tif 000019
【国際調査報告】
2016511041.tif 000020
2016511041.tif 000021
2016511041.tif 000022
2016511041.tif 000023